(57)【特許請求の範囲】
【請求項１】
メータケースの前面フレームを跨ぐようにして置くことができる基板と、前記基板の中央に下端が固定された垂直の支持板に先端が固定されていて柄部が横方向に向けられている固定ハンドルと、前記固定ハンドルに対して支軸により回転自在に取り付けられていると共に、柄部が固定ハンドルの柄部の上側に位置し、先端側は前記支軸よりも先に突出している可動ハンドルと、前記支持板に沿って垂直に上下動自在に取り付けられており、上端は前記可動ハンドルの先端側に連結され、下端には水平方向に折り曲げられた爪部が形成されていると共に、この爪部の先端にＵ字状の係合溝が形成されている引抜板と、から成るメータ用指針引き抜き治具において、前記可動ハンドルの先端側に連結ピンを取り付けてこの連結ピンで引抜板の上端に連結し、更にこの連結ピンの後方にガイドピンを取り付けてこのガイドピンを引抜板に設けた縦長孔内に挿入して、可動ハンドルの先端側の円弧運動が引抜板側に伝わらないように構成することにより、引抜板の垂直方向の上下動を可能にしたメータ用指針引き抜き治具。
【請求項２】
前記引抜板の下端に形成した爪部の形状を、指針の下に挿し込み易いように、先端側を薄く形成して成る請求項１に記載のメータ用指針引き抜き治具。
【請求項３】
前記支持板側からガイドを突設し、このガイドを引抜板側に設けた上下動ストローク穴に係合させて上下ストローク範囲を規制するように構成して成る請求項１に記載のメータ用指針引き抜き治具。
【請求項４】
前記爪部の上方に指針押え板を取り付けて成る請求項１に記載のメータ用指針引き抜き治具。
【発明の詳細な説明】
【０００１】
【発明の属する技術分野】
本発明は、圧力計、速度計、温度計等であって、回転する指針で目盛盤上に測定値を指示するメータ用指針引き抜き治具に関する。
【０００２】
【従来の技術】
メータの指針は、薄く細い形状であって、重量の小さい材質のもので製作されていることから、簡単に折れ曲がったり、或いは錆が発生したりすることがある。
従来、このような問題が発生した場合には、指針の交換が必要となり、図７に示すような指針引き抜き治具が用いられている。
図７において、２０はメータケースの前面フレームを跨ぐようにして置かれる基台であって、この基台２０には、その中央に先端にねじ針２２を有するねじ２１が取り付けてあり、このねじ２１の先端に設けたねじ針２２を指針２３の孔に差し込んでねじ込んだあと、ツマミ２４を廻して指針を引き抜く構成である。図中２５は針軸である。
【０００３】
【発明が解決しようとする課題】
しかし、上記引き抜き治具の場合、次のような欠点がある。
ａ．ねじ針２２自体が非常に細くできているため、抜き方によっては直ぐに曲っ
たり、折れてしまう。
ｂ．メータによっては指針２３の穴の大きさや高さが違うため、この大きさや高
さに合った治具を用意して使い分ける必要がある。
ｃ．針軸２５に対して余計な力がかかってこれを曲げてしまうことがある。
本発明の目的は、上述したａ〜ｃの欠点を解消するメータ用指針引き抜き治具を提案することである。
【０００４】
【課題を解決するための手段】
本発明に係るメータ用指針引き抜き治具の構成は次のとおりである。
メータケースの前面フレームを跨ぐようにして置くことができる基板と、
前記基板の中央に下端が固定された垂直の支持板に先端が固定されていて柄部が横方向に向けられている固定ハンドルと、
前記固定ハンドルに対して支軸により回転自在に取り付けられていると共に、柄部が固定ハンドルの柄部の上側に位置し、先端側は前記支軸よりも先に突出している可動ハンドルと、
前記支持板に沿って垂直に上下動自在に取り付けられており、上端は前記可動ハンドルの先端側に連結され、下端には水平方向に折り曲げられた爪部が形成されていると共に、この爪部の先端にＵ字状の係合溝が形成されている引抜板と、
から成るメータ用指針引き抜き治具。
【０００５】
上記構成の治具において、可動ハンドルの先端側に連結ピンを取り付けてこの連結ピンで引抜板の上端に連結し、更にこの連結ピンの後方にガイドピンを取り付けてこのガイドピンを引抜板に設けた縦長孔内に挿入することにより、可動ハンドルの先端側の円弧運動が引抜板側に伝わらないように構成して引抜板の垂直方向の上下動を可能にすることにより、針軸を曲げたりしないようにできる。
【０００６】
又、引抜板の下端に形成した爪部の形状を、先端側を薄く形成すると、指針の下に挿し込み易くて便利である。
又、支持板側からガイドを突設し、このガイドを引抜板側に設けた上下動ストローク穴に係合させて上下ストローク範囲を規制するようにすると、使い勝手が良くなる。
又、爪部の上方に押え板を取り付けて、指針を爪部と押え板の間に入れて引き抜くようにすると、指針が外れたりする心配がない。
【０００７】
【作用】
引き抜き対象となるメータを上向きに置き、メータケースの前面フレームを跨いで両端がかかるように基板をセットすると共に、引抜板の爪部を指針の下に入れて針軸を係合溝内に挿入する。
そして、固定ハンドルと可動ハンドルの柄部に手をかけて可動ハンドル側を押し下げると、このハンドルの先端に連結されている引抜板がテコの原理で垂直に引き上げられる。この際、爪部が指針の下に当り、係合しているため、指針は真上に引き上げられ、やがて針軸から抜ける。
【０００８】
【発明の実施の形態】
メータの大小に関係なく使用できるように、基板はある程度大きく設定してある。この基板の中央から垂直方向に向けては、支持板が固定されている。そして、この支持板の上部には固定ハンドルの先端が固定され、これにより固定ハンドルの柄部は横方向を向いている。
可動ハンドルは、前記固定ハンドルの先端側に近い位置で支軸により回転自在に支持され、その柄部は前記固定ハンドルの柄部の上方に位置し、固定ハンドルと同一方向を向いている。
【０００９】
引抜板は、下端をＬ字状に折り曲げて爪部を形成し、この爪部にＵ字状の係合溝を切設した形状から成り、上部の連結ピンで可動ハンドルの先端に連結されていると共に、この後方にガイドピンがあり、このガイドピンは引抜板に形成した縦長孔内に係合していて、この縦長孔とガイドピンの関係により、可動ハンドルを操作したときに生じる可動ハンドルの先端側の円弧運動を吸収して、垂直方向の運動のみが引抜板に伝達されるようになっている。この結果、引抜板には余計な曲げの力は作用しない。又、この引抜板には、支持板側に設けたガイドが係合する縦方向のストローク穴が設けてあり、これにより引抜板のストローク範囲が決まる。
固定ハンドルと可動ハンドル間には、所定の位置まで開くようにバネが装着してあると共に、閉じたときに所定の位置で止まるように、長さ（高さ）調節自在のストッパーが設けてある。
【００１０】
【実施例】
図１は本発明に係るメータ用指針引き抜き治具の側面図、図２は平面図、図３は引抜板の側面図、図４は爪部の平面図、図５、図６は正面側から見た引抜作用の説明図である。１はメータケースａの前面フレームａ′の中央を跨ぐ長さの基板、２はこの基板１の両端側の下面に取り付けた固定部材、３は基板１の中央から上方に立ち上げた支持板、４は支持板３に沿って垂直に上下動自在の引抜板であって、この引抜板４の下端には水平方向に折り曲げられた爪部５が形成されていると共に、この爪部５の先は薄く形成されており、更にこの爪部５の中央にはＵ字状の係合溝６が形成されている。７は支持板３と引抜板４との間に装入されたスペーサーである。
【００１１】
８は前記支持板３の上端に先端８ｂが固定された固定ハンドル、９は前記固定ハンドル８に対して支軸１０により回転自在に取り付けられている可動ハンドルであって、この可動ハンドル９の柄部９ａは、固定ハンドル８の柄部８ａの上方に位置し、その先端９ｂには連結ピン１１が取り付けてあり、この連結ピン１１は引抜板４の上端に連結されている。又、この連結ピン１１の後方にはガイドピン１２が取り付けてあり、このガイドピン１２は前記引抜板４の上端に形成した縦長孔１３に係合している。
【００１２】
１４は支持板３側から突出させたガイド１５が上下動自在に収るように、引抜板４に設けたストローク穴であって、このストローク穴１４は、引抜板４の上下動ストロークを規制する。１６は当て板である。
１７は固定ハンドル８と可動ハンドル９間に組み込まれたバネ材であって、このバネ材１７により固定ハンドル８と可動ハンドル９には常時開く方向に力がかかっている。但し、最大の開き角は、前記ガイド１５がストローク穴１４の下端に係合するまでの角であって、これは丁度片手で握り易い開き角度になっている。
【００１３】
１８は固定ハンドル８側に取り付けたストッパーであって、高さ調節自在であり、これにより可動ハンドル９を閉じたときの最小開き角を規制している。
上記引き抜き治具は、図１に示すように、水平に置いたメータケースａの前面フレームａ′上に固定部材２を当てて基板１をセットすると共に、引抜板４の爪部５を指針ｂの下に入れて係合溝６内に針軸ｃを入れる（図５）。この状態で固定ハンドル８と可動ハンドル９を握ると、基板１が反力を受けるため、引抜板４が引き上げられて、爪部５が指針ｂの裏に当り、指針ｂは針軸ｃから引き抜かれる（図６）。
【００１４】
引抜板４は、ガイド１５とストローク穴１４との係合により垂直方向にスライドし、又、可動ハンドル９の先端のガイドピン１２は縦長孔１３を介して引抜板４に係合しているため、可動ハンドル９の回転により発生する先端９ｂ側の円弧運動が引抜板４側に伝わるのを防いでいる。
図５において、１９は指針押え板である。
【００１５】
【発明の効果】
本発明は以上の如き構成から成るため、次の効果を奏する。
ａ．メータケースを基板で押え、引抜板は垂直に上下運動するため、針軸を曲げたり、損  傷したりしない（請求項１〜４）。
ｂ．指針の穴を使用して抜かないため、穴のサイズや指針の高さに関係なく使用できる（  請求項１〜４）。
ｃ．引抜板と可動ハンドルは、その先端側において、連結ピンとは別に、更にガイドピン  と縦長孔を介して連結しているため、可動ハンドル側の回転運動に伴う曲げの力が引抜  板側には作用せず、無理なく引抜板を上下動させることができる（請求項１）。
【００１６】
ｄ．爪部の先を薄く形成したので、指針の下に挿し込み易い（請求項２）。
ｅ．ガイドとストローク穴の係合により、引抜板は安定してスライドし、指針や針軸に無  理な力がかからない（請求項３）。
ｆ．爪部の上部に押えを設けたので、引き抜き時に指針が安定する（請求項４）。
ｇ．全体に小型化できると共に、メータの大きさごとに治具を用意して使い分ける必要が  ない（請求項１〜４）。
ｈ．可動ハンドルは、テコの原理を応用しているため、ハンドル操作時の力は小さくてよ  い（請求項１〜４）。
【図面の簡単な説明】
【図１】本発明に係る治具の側面図及び使用状態の説明図。
【図２】本発明に係る治具の平面図。
【図３】引抜板の説明図。
【図４】爪部の平面図。
【図５】治具の正面であって、引抜直前の説明図。
【図６】治具の正面であって、引抜後の説明図。
【図７】従来の治具の説明図。
【符号の説明】
１  基板
２  固定部材
３  支持板
４  引抜板
５  爪部
６  係合溝
７  スペーサー
８  固定ハンドル
９  可動ハンドル
１０  支軸
１１  連結ピン
１２  ガイドピン
１３  縦長孔
１４  ストローク穴
１５  ガイド
１６  当て板
１７  バネ材
１８  ストッパー
１９  指針押え板
ａ  メータケース
ｂ  指針
ｃ  針軸
【図１】
0003753268.tif 000002
【図２】
0003753268.tif 000003
【図３】
0003753268.tif 000004
【図４】
0003753268.tif 000005
【図５】
0003753268.tif 000006
【図６】
0003753268.tif 000007
【図７】
0003753268.tif 000008